(57)【要約】【課題】被結束物品を結束部材にて結束する際に、複数のコーナ保護片を容易に取り扱って結束作業を行うことができる結束用コーナ保護具を提供する。【解決手段】被結束物品を結束部材にて結束する際に、被結束物品の４つのコーナ部と結束部材との間に介在させる４枚のコーナ保護片２２Ａ〜２２Ｄを、切り離し可能な接続部２３を介して一体的に連結形成する。各コーナ保護片２２Ａ〜２２Ｄの中間部には、折り曲げ可能な薄肉部２６を形成する。【選択図】　　　図１
2004142745.tif 000002
【特許請求の範囲】
【請求項１】
被結束物品を結束部材にて結束する際に、被結束物品のコーナ部と結束部材との間に介在させる複数のコーナ保護片を、切り離し可能な接続部を介して連結形成したことを特徴とする結束用コーナ保護具。
【請求項２】
前記コーナ保護片が４枚連結形成されていることを特徴とする請求項１に記載の結束用コーナ保護具。
【請求項３】
前記各コーナ保護片の中間部には、折り曲げ可能な薄肉部が形成されていることを特徴とする請求項１または請求項２に記載の結束用コーナ保護具。
【発明の詳細な説明】
【０００１】
【発明の属する技術分野】
この発明は、段ボール箱等の被結束物品を結束テープ等の結束部材にて結束する際に、被結束物品のコーナ部を保護するために用いられる結束用コーナ保護具に関するものである。
【０００２】
【従来の技術】
一般に、例えば家電製品や家具等の製品を梱包する場合には、製品を段ボール箱等の被結束物品内に収納した後に、その被結束物品の外側を結束テープ等の結束部材にて結束している。この被結束物品の結束時には、結束部材の締め付けに伴って被結束物品のコーナ部に力が集中するため、そのコーナ部を損傷するおそれがあった。
【０００３】
このような不具合に対処するために、被結束物品を結束部材にて結束する際に、被結束物品の４つのコーナ部と結束部材との間に、合成樹脂製のコーナ保護片をそれぞれ介在させる構成も従来から提案されている（例えば、特許文献１参照）。この構成によれば、結束部材の締め付け時に、被結束物品の各コーナ部に力が集中するのを緩和することができて、そのコーナ部を損傷から保護することができる。
【０００４】
【特許文献１】
特開２００２−１９８４２号公報
【０００５】
【発明が解決しようとする課題】
ところが、この従来のコーナ保護構成においては、被結束物品の４つのコーナ部に介在されるコーナ保護片が、１枚ずつ独立して形成されている。このため、被結束物品を結束部材にて結束する際に、結束部材に複数のコーナ保護片を１つずつ取り付ける等の面倒な作業を行う必要があって、その取り扱いが非常に面倒であるという問題があった。
【０００６】
この発明は、このような従来の技術に存在する問題点に着目してなされたものである。その目的は、被結束物品を結束部材にて結束する際に、複数のコーナ保護片を容易に取り扱って結束作業を行うことができる結束用コーナ保護具を提供することにある。
【０００７】
【課題を解決するための手段】
上記の目的を達成するために、請求項１に記載の発明は、被結束物品を結束部材にて結束する際に、被結束物品のコーナ部と結束部材との間に介在させる複数のコーナ保護片を、切り離し可能な接続部を介して連結形成したことを特徴とするものである。
【０００８】
従って、この請求項１に記載の発明によれば、被結束物品を結束部材にて結束する際に、複数のコーナ保護片を連結状態で容易に取り扱うことができる。そして、結束部材に複数のコーナ保護片を取り付ける場合においては、各コーナ保護辺を切り離しながらその作業を連続して迅速に行うことができる。
【０００９】
請求項２に記載の発明は、請求項１に記載の発明において、前記コーナ保護片が４枚連結形成されていることを特徴とするものである。
従って、この請求項２に記載の発明によれば、被結束物品の４つのコーナ部に介在される４枚のコーナ保護片を連結状態で１セットとして容易に取り扱うことができ、結束作業を一層迅速に行うことができる。
【００１０】
請求項３に記載の発明は、請求項１または請求項２に記載の発明において、前記各コーナ保護片の中間部には、折り曲げ可能な薄肉部が形成されていることを特徴とするものである。
【００１１】
従って、この請求項３に記載の発明によれば、各コーナ保護片を接続部から切り離した後、薄肉部にて折り曲げることにより、被結束物品のコーナ部に容易に接合配置させることができる。
【００１２】
【発明の実施の形態】
（第１実施形態）
以下に、この発明の第１実施形態を、図１〜図７に基づいて説明する。
【００１３】
図１〜図３に示すように、この実施形態の結束用コーナ保護具２１は、合成樹脂により４枚のコーナ保護片２２Ａ，２２Ｂ，２２Ｃ，２２Ｄを、各一対の容易に切り離し可能な細線状の接続部２３を介して一体的に連結形成した構成となっている。そして、図４〜図７に示すように、段ボール箱等の被結束物品２４を結束部材としての結束テープ２５にて結束する際に、この結束用コーナ保護具２１を使用して、各コーナ保護片２２Ａ〜２２Ｄを連結状態で結束テープ２５に取り付ける。その後、各コーナ保護片２２Ａ〜２２Ｄを接続部２３から切り離して、被結束物品２４の４つのコーナ部２４ａ，２４ｂ，２４ｃ，２４ｄと結束テープ２５との間にそれぞれ介在させ得るようになっている。
【００１４】
図１〜図３に示すように、前記各コーナ保護片２２Ａ〜２２Ｄの中間部には、折り曲げ可能な薄肉部２６が下面側に断面ほぼＶ字状の溝を設けることにより形成されている。そして、図４に示すように、各コーナ保護片２２Ａ〜２２Ｄを結束テープ２５に取り付ける際には、各コーナ保護片２２Ａ〜２２Ｄを連結状態のままで、この薄肉部２６及び接続部２３において折り畳み得るようになっている。また、図６及び図７に示すように、各コーナ保護片２２Ａ〜２２Ｄを接続部２３から切り離して、被結束物品２４の各コーナ部２４ａ〜２４ｄに配置させる場合には、各コーナ保護片２２Ａ〜２２Ｄを薄肉部２６においてほぼ９０度に折り曲げ得るようになっている。
【００１５】
図１及び図３に示すように、前記各コーナ保護片２２Ａ〜２２Ｄのうちで、両端に位置する一対のコーナ保護片２２Ａ，２２Ｄの内側上面、及び中間に位置する一対のコーナ保護片２２Ｂ，２２Ｃの両側上面には、突出部２７が形成されている。各突出部２７と対応する位置において、コーナ保護片２２Ａ〜２２Ｄには挿通孔２８が透設されている。この挿通孔２８の上面は突出部２７の内面により画定され、このため、各突出部２７は各挿通孔２８を跨ぐ形状になっており、各挿通孔２８は、図５の左右方向において対向する。さらに、各挿通孔２８はその内片部が図４の状態において各突出部２７より下側の位置において対向する。そして、図４に示すように、各コーナ保護片２２Ａ〜２２Ｄを折り畳んだ状態で、この挿通孔２８に結束テープ２５を挿通することにより、コーナ保護片２２Ａ〜２２Ｄを結束テープ２５に取り付け得るようになっている。
【００１６】
前記両端に位置する一対のコーナ保護片２２Ａ，２２Ｄの外側上面には、結束テープ２５を案内するための案内溝２９が外端部ほど深くなった傾斜状に形成されている。そして、図７に示すように、被結束物品２４を結束装置３０の載置台３１上に載置する。この状態で、結束装置３０により被結束物品２４の外周に結束テープ２５を周回結束する際に、結束テープ２５の両端の継ぎ目部２５ａ側に配置されるコーナ保護片２２Ａ，２２Ｄの端部外面に結束テープ２５が支障なく案内移動されるようになっている。
【００１７】
図２〜図４に示すように、前記各コーナ保護片２２Ａ〜２２Ｄの下面の両側には、各一対の食い込み突起３２，３３がコーナ保護片２２Ａ〜２２Ｄの連結方向及びそれと直交する方向に位置をずらして形成されている。そして、図７に示すように、各コーナ保護片２２Ａ〜２２Ｄを被結束物品２４のコーナ部２４ａ〜２４ｄと結束テープ２５との間に介在させたとき、食い込み突起３２，３３が被結束物品２４の外面に食い込んで、各コーナ保護片２２Ａ〜２２Ｄが所定位置に位置決め保持されるようになっている。
【００１８】
前記各食い込み突起３２，３３と対応するように、各コーナ保護片２２Ａ〜２２Ｄの両側には、各一対の挿入孔３４，３５がコーナ保護片２２Ａ〜２２Ｄの連結方向及びそれと直交する方向に位置をずらして形成されている。そして、図３に示すように、複数のコーナ保護具２１が長手方向に反転された状態で互い違いに積み重ねられたとき、これらの挿入孔３４，３５にそれと対向する食い込み突起３２，３３が挿入収容されるようになっている。また、図４に示すように、コーナ保護片２２Ａ〜２２Ｄが薄肉部２６及び接続部２３にて折り畳まれたときにも、これらの挿入孔３４，３５にそれと対向する食い込み突起３２，３３が挿入収容されるようになっている。
【００１９】
次に、前記のように構成された結束用コーナ保護具２１の作用を説明する。
さて、この結束用コーナ保護具２１は、図１及び図２に示すように、４枚のコーナ保護片２２Ａ〜２２Ｄを、各一対の切り離し可能な接続部２３を介して一体的に連結形成した状態で製造される。そして、この製造後には、図３に示すように、複数のコーナ保護具２１が互い違いに長手方向へ反転されながら積み重ねられ、この状態で所定枚数ずつ梱包して搬送される。この場合、各コーナ保護片２２Ａ〜２２Ｄの下面に突設された食い込み突起３２，３３が対応する挿入孔３４，３５に挿入収容されて対向するコーナ保護片２２Ａ〜２２Ｄの表面との干渉が防止される。よって、この結束用コーナ保護具２１の製造及び梱包に際しては、４枚のコーナ保護片２２Ａ〜２２Ｄを連結状態で１セットとして容易に取り扱うことができる。
【００２０】
次に、この結束用コーナ保護具２１を使用して、段ボール箱等の被結束物品２４を結束テープ２５にて結束する場合には、図４に示すように、結束用コーナ保護具２１の各コーナ保護片２２Ａ〜２２Ｄを連結状態のままで、薄肉部２６及び接続部２３を介して折り畳む。すると、各コーナ保護片２２Ａ〜２２Ｄに設けられた挿通孔２８がほぼ一線上に配列される。また、この場合にも、各コーナ保護片２２Ａ〜２２Ｄの食い込み突起３２，３３が対応する挿入孔３４，３５に挿入収容されて対向する各コーナ保護片２２Ａ〜２２Ｄの表面との干渉が防止される。そして、この状態で各コーナ保護片２２Ａ〜２２Ｄの挿通孔２８に結束テープ２５を順に挿通すれば、結束テープ２５上に４枚のコーナ保護片２２Ａ〜２２Ｄを連続して容易に取り付けることができる。
【００２１】
続いて、図５に示すように、各コーナ保護片２２Ａ〜２２Ｄを折り畳み状態から伸張させ、この状態で接続部２３から切り離す。その後、図６及び図７に示すように、各コーナ保護片２２Ａ〜２２Ｄを薄肉部２６にてほぼ９０度に折り曲げて、被結束物品２４のコーナ部２４ａ〜２４ｄと結束テープ２５との間に介在させながら、結束装置３０を使用して結束テープ２５により被結束物品２４を結束する。この場合、結束テープ２５の両端の継ぎ目部２５ａ側に配置されるコーナ保護片２２Ａ，２２Ｄの端部外面には、突出部２７及び挿通孔２８に代えて案内溝２９が形成されているため、その案内溝２９に沿って結束テープ２５を支障なく周回案内させることができる。
【００２２】
また、この被結束物品２４の結束状態では、図７に示すように、各コーナ保護片２２Ａ〜２２Ｄの下面に突設された食い込み突起３２，３３が被結束物品２４の外面に食い込んで、各コーナ保護片２２Ａ〜２２Ｄが所定位置に位置決め保持される。よって、各コーナ保護片２２Ａ〜２２Ｄが被結束物品２４のコーナ部２４ａ〜２４ｄから位置ずれすることはなく、結束テープ２５の締め付けに伴ってコーナ部２４ａ〜２４ｄに集中する力を、各コーナ保護片２２Ａ〜２２Ｄにて効果的に受け止めることができる。
【００２３】
従って、この実施形態によれば、以下のような効果を得ることができる。
（ａ）　この結束用コーナ保護具２１においては、被結束物品２４を結束テープ２５にて結束する際に、被結束物品２４の４つのコーナ部２４ａ〜２４ｄと結束テープ２５との間に介在させる４枚のコーナ保護片２２Ａ〜２２Ｄが、切り離し可能な接続部２３を介して一体的に連結形成されている。このため、被結束物品２４を結束テープ２５にて結束する際に、４枚のコーナ保護片２２Ａ〜２２Ｄを連結状態で１セットとして容易に取り扱うことができる。よって、結束テープ２５に４枚のコーナ保護片２２Ａ〜２２Ｄを取り付ける場合等において、その作業を連続して迅速に行うことができる。
【００２４】
（ｂ）　この結束用コーナ保護具２１においては、前記各コーナ保護片２２Ａ〜２２Ｄの中間部に折り曲げ可能な薄肉部２６が形成されている。このため、各コーナ保護片２２Ａ〜２２Ｄを接続部２３から切り離した後、薄肉部２６にて折り曲げることにより、被結束物品２４のコーナ部２４ａ〜２４ｄに容易に接合配置させることができる。
【００２５】
（ｃ）　この結束用コーナ保護具２１においては、前記各コーナ保護片２２Ａ〜２２Ｄのうちで、両端に位置する一対のコーナ保護片２２Ａ，２２Ｄの外側上面に結束テープ２５を案内するための案内溝２９が形成されている。また、両端に位置する一対のコーナ保護片２２Ａ，２２Ｄの内側上面、及び中間に位置する一対のコーナ保護片２２Ｂ，２２Ｃの両側上面には突出部２７が設けられ、それらの突出部２７には結束テープ２５を挿通するための挿通孔２８が形成されている。
【００２６】
このため、４枚のコーナ保護片２２Ａ〜２２Ｄが連結された状態で、各コーナ保護片２２Ａ〜２２Ｄの挿通孔２８に結束テープ２５を連続して容易に挿通することができて、結束テープ２５に対するコーナ保護片２２Ａ〜２２Ｄの取り付け作業を迅速に行うことができる。また、結束装置３０を使用して被結束物品２４に対する結束テープ２５の結束を行う場合、結束テープ２５の両端の継ぎ目部２５ａ側に配置されるコーナ保護片２２Ａ，２２Ｄの端部外面に結束テープ２５の周回移動を疎外する部分が存在せず、結束動作を円滑に行うことができる。
【００２７】
（ｄ）　この結束用コーナ保護具２１においては、前記各コーナ保護片２２Ａ〜２２Ｄの下面に、被結束物品２４の外面に食い込み可能な複数の食い込み突起３２，３３が形成されている。このため、各コーナ保護片２２Ａ〜２２Ｄを被結束物品２４のコーナ部２４ａ〜２４ｄと結束テープ２５との間に介在させたとき、食い込み突起３２，３３が被結束物品２４の外面に食い込んで、各コーナ保護片２２Ａ〜２２Ｄを所定位置に確実に位置決めすることができる。
【００２８】
（ｅ）　この結束用コーナ保護具２１においては、前記各コーナ保護片２２Ａ〜２２Ｄに、コーナ保護片２２Ａ〜２２Ｄを中間部にて折り畳んだ状態、及び複数のコーナ保護具２１を互い違いに積み重ねた状態で、各食い込み突起３２，３３が挿入収容可能な可能な複数の挿入孔３４，３５が形成されている。このため、例えば各コーナ保護片２２Ａ〜２２Ｄを連結状態で中間部にて折り畳んで、結束テープ２５に対して順に取り付ける場合に、食い込み突起３２，３３が挿入孔３４，３５に挿入収容されて、コーナ保護片２２Ａ〜２２Ｄの対向面に干渉するのを防止することができる。また、例えば、複数のコーナ保護具２１を積み重ねた状態で包装する場合にも、食い込み突起３２，３３が挿入孔３４，３５に挿入収容されて、コーナ保護片２２Ａ〜２２Ｄの対向面に干渉するのを防止することができる。
【００２９】
（第２実施形態）
次に、この発明の第２実施形態を、前記第１実施形態と異なる部分を中心に説明する。
【００３０】
さて、この第２実施形態においては、図８及び図９に示すように、各コーナ保護片２２Ａ〜２２Ｄの中間部の上面側に断面ほぼＶ字状の溝を設けることにより、折り曲げ可能な薄肉部２６が形成されている。また、各コーナ保護片２２Ａ〜２２Ｄの上面中央には、結束テープ２５を案内するための案内溝３８がコーナ保護片２２Ａ〜２２Ｄの連結方向に沿って延びるように形成されている。各コーナ保護片２２Ａ〜２２Ｄの両側において案内溝３８の開口縁には、結束テープ２５を係止するための各一対の係止片３９が突出形成されている。
【００３１】
よって、この実施形態の結束用コーナ保護具２１では、各コーナ保護片２２Ａ〜２２Ｄが連結され、結束用コーナ保護具２１を延ばした状態で、結束テープ２５を案内溝３８内に挿入することができる。このようにすれば、結束テープ２５を案内溝３８に沿って延長配置して各一対の係止片３９間に係止させることにより、結束テープ２５上にコーナ保護片２２Ａ〜２２Ｄを取り付けることができる。
【００３２】
従って、この第２実施形態によれば、前記第１実施形態における（ａ）及び（ｂ）に記載の効果と同様の効果を得ることができる。
（第３実施形態）
次に、この発明の第３実施形態を、前記第１実施形態と異なる部分を中心に説明する。
【００３３】
さて、この第３実施形態においては、図１０〜図１２に示すように、各コーナ保護片２２Ａ〜２２Ｄの中間部の上下両面側に断面ほぼＶ字状の溝を設けることにより、折り曲げ可能な薄肉部２６が形成されている。また、各コーナ保護片２２Ａ〜２２Ｄの両側付近には、結束テープ２５を挿通するための挿通孔４１が透設されている。両挿通孔４１の内側において各コーナ保護片２２Ａ〜２２Ｄの上面には、結束テープ２５を案内するための上面案内溝４２が形成されている。両挿通孔４１の外側において各コーナ保護片２２Ａ〜２２Ｄの下面には、結束テープ２５を案内するための下面案内溝４３が形成されている。
【００３４】
よって、この実施形態の結束用コーナ保護具２１では、前記第１実施形態の場合と同様に、各コーナ保護片２２Ａ〜２２Ｄを折り畳んだ状態で、各挿通孔４１に結束テープ２５を挿通することにより、結束テープ２５上にコーナ保護片２２Ａ〜２２Ｄを取り付けることができる。また、図１２に示すように、各コーナ保護片２２Ａ〜２２Ｄを接続部２３から切り離すとともに、薄肉部２６にてほぼ９０度に折り曲げた状態で、被結束物品２４のコーナ部２４ａ〜２４ｄと結束テープ２５との間に介装させれば、結束テープ２５が上面案内溝４２及び下面案内溝４３に沿って案内延長される。
【００３５】
従って、この第３実施形態によれば、前記第１実施形態における（ａ）及び（ｂ）に記載の効果と同様の効果を得ることができる。
（変更例）
なお、この実施形態は、次のように変更して具体化することも可能である。
【００３６】
・　図１３に示すように、前記第３実施形態のコーナ保護具２１において、各コーナ保護片２２Ａ〜２２Ｄの下面全長に亘って下面案内溝４３を延長形成すること。
【００３７】
・　図１４に示すように、前記第３実施形態のコーナ保護具２１において、各コーナ保護片２２Ａ〜２２Ｄの下面全長に亘って下面案内溝４３を延長形成するとともに、各コーナ保護片２２Ａ〜２２Ｄの上面に上面案内溝４２を外端部ほど深くなるように傾斜させて形成すること。
【００３８】
・　前記各実施形態において、各コーナ保護片２２Ａ〜２２Ｄ間を容易に切り離し可能な薄肉広幅状の接続部２３にて連結形成すること。
・　前記第２及び第３実施形態において、各コーナ保護片２２Ａ〜２２Ｄに、前記第１実施形態と同様の食い込み突起３２，３３及び挿入孔３４，３５を形成すること。
【００３９】
・　前記各実施形態において、結束部材として結束テープ２５とは異なった例えば結束紐等を使用できるようにすること。このためには、挿通孔２８等を結束紐の断面形状に従った形状にする必要がある。
【００４０】
・　前記各実施形態において、被結束物品２４として段ボール箱とは異なった包装容器等の結束を行う場合に実施できるようにすること。
（別の技術的思想）
さらに、上記実施形態により把握される請求項以外の技術的思想について、以下にそれらの効果とともに記載する。
【００４１】
（１）　前記各コーナ保護片の上面には突出部が設けられ、それらの突出部に対応して結束部材を挿通するための挿通孔が形成されている前記請求項１〜請求項３のうちのいずれか一項に記載の結束用コーナ保護具。
【００４２】
この構成によれば、複数のコーナ保護片が連結された状態で、各コーナ保護片の挿通孔に結束部材を連続して容易に挿通することができて、結束部材に対するコーナ保護片の取り付け作業を迅速に行うことができる。
【００４３】
（２）　前記各コーナ保護片のうちで、両端に位置する一対のコーナ保護片の外側上面には結束部材を案内するための案内溝が形成され、両端に位置する一対のコーナ保護片の内側上面、及び中間に位置する一対のコーナ保護片の両側上面には突出部が設けられている。そして、それらの各突出部に対応して結束部材を挿通するための挿通孔が形成されている前記請求項２または請求項３に記載の結束用コーナ保護具。
【００４４】
この構成によれば、結束装置を使用して被結束物品に対する結束部材の結束を行う場合、結束部材の両端の継ぎ目部側に配置されるコーナ保護片の端部外面に結束部材の周回移動を疎外する部分が存在せず、結束動作を円滑に行うことができる。
【００４５】
（３）　前記各コーナ保護片の下面には被結束物品の外面に食い込み可能な食い込み突起が形成されている前記請求項１〜請求項３、（１）、（２）項のうちのいずれか一項に記載の結束用コーナ保護具。
【００４６】
この構成によれば、各コーナ保護片を被結束物品のコーナ部と結束部材との間に介在させたとき、食い込み突起が被結束物品の外面に食い込んで、各コーナ保護片を所定位置に位置決めすることができる。
【００４７】
（４）　前記各コーナ保護片には、中間部にて折り畳んだ状態で食い込み突起が挿入収容される挿入孔が形成されている前記（３）項に記載の結束用コーナ保護具。
【００４８】
この構成によれば、例えば各コーナ保護片を連結状態で中間部にて折り畳んで、結束部材に対して順に取り付ける場合、食い込み突起が挿入孔に挿入収容されて、コーナ保護片の対向面に干渉するのを防止することができる。
【００４９】
（５）　前記各コーナ保護片には、複数のコーナ保護具を互い違いに積み重ねた状態で食い込み突起が挿入収容可能な挿入孔が形成されている前記（３）または（４）項に記載の結束用コーナ保護具。
【００５０】
この構成によれば、例えば、複数のコーナ保護具を積み重ねた状態で包装する場合、食い込み突起が挿入孔に挿入収容されて、コーナ保護片の対向面に干渉するのを防止することができる。
【００５１】
【発明の効果】
以上、実施形態で例示したように、この発明においては、被結束物品を結束部材にて結束する際に、被結束物品の各コーナ部を保護するための複数のコーナ保護片を容易に取り扱って結束作業を行うことができる。
【図面の簡単な説明】
【図１】第１実施形態の結束用コーナ保護具を表面側から見た斜視図。
【図２】図１の結束用コーナ保護具を裏面側から見た斜視図。
【図３】複数の結束用コーナ保護具を重ねた状態で示す部分拡大断面図。
【図４】結束用コーナ保護具に結束テープを挿通した状態を示す断面図。
【図５】結束テープの挿通後の結束用コーナ保護具を伸張させて示す平面図。
【図６】結束用コーナ保護具を使用して結束テープにより被結束物品を結束した状態を示す斜視図。
【図７】図６の７−７線における拡大断面図。
【図８】第２実施形態の結束用コーナ保護具を表面側から見た斜視図。
【図９】図８の９−９線における拡大断面図。
【図１０】第３実施形態の結束用コーナ保護具を表面側から見た斜視図。
【図１１】図１０の１１−１１線における拡大断面図。
【図１２】図１０のコーナ保護具の使用状態を示す部分断面図。
【図１３】第３実施形態の結束用コーナ保護具の変形例を示す断面図。
【図１４】第３実施形態の結束用コーナ保護具の変形例を示す断面図。
【符号の説明】
２１…結束用コーナ保護具、２２Ａ〜２２Ｄ…コーナ保護片、２３…接続部、２４…被結束物品、２４ａ〜２４ｄ…コーナ部、２５…結束部材としての結束テープ、２６…薄肉部、２７…突出部、２８…挿通孔、２９…案内溝、３０…結束装置、３２，３３…食い込み突起、３４，３５…挿入孔。
【図１】
2004142745.tif 000003
【図２】
2004142745.tif 000004
【図３】
2004142745.tif 000005
【図４】
2004142745.tif 000006
【図５】
2004142745.tif 000007
【図６】
2004142745.tif 000008
【図７】
2004142745.tif 000009
【図８】
2004142745.tif 000010
【図９】
2004142745.tif 000011
【図１０】
2004142745.tif 000012
【図１１】
2004142745.tif 000013
【図１２】
2004142745.tif 000014
【図１３】
2004142745.tif 000015
【図１４】
2004142745.tif 000016